(57)【要約】【課題】保存されたＷｅｂページの代替Ｗｅｂページをユーザが容易に見つけることができる検索情報管理システム及び検索情報管理方法を提供する。【解決手段】検索情報管理システムは、ネットワーク２０を介して接続された情報処理装置１０と、サーバ３０と、を有する。情報処理装置１０は、検索条件に基づくＷｅｂページの検索要求をサーバ３０に行う検索要求手段と、Ｗｅｂページの登録要求をサーバ３０に行う登録要求手段と、を備える。サーバ３０は、検索条件に基づいてＷｅｂページを検索する検索手段と、登録要求手段により登録要求されたＷｅｂページのＵＲＬを、少なくとも検索条件と検索一覧における順位とＷｅｂの内容テキストとに関連づけてＵＲＬ情報としてＵＲＬ情報格納ＤＢ４０に保存する保存手段と、を備える。【選択図】図１
2010211624.tif 000002
【特許請求の範囲】
【請求項１】
ネットワークを介して接続された情報処理装置と、サーバと、を有する検索情報管理システムであって、
前記情報処理装置は、
検索条件に基づくＷｅｂページの検索要求をサーバに行う検索要求手段と、
Ｗｅｂページの登録要求を前記サーバに行う登録要求手段と、を備え、
前記サーバは、
前記検索条件に基づいてＷｅｂページを検索する検索手段と、
前記登録要求手段により登録要求されたＷｅｂページのＵＲＬを、少なくとも前記検索条件と検索一覧における順位と前記Ｗｅｂの内容テキストとに関連づけてＵＲＬ情報としてＵＲＬ情報格納手段に保存する保存手段と、を備えることを特徴とする検索情報管理システム。
【請求項２】
前記サーバは、前記情報処理装置に情報を送信する情報送信手段を備え、
前記情報処理装置は、前記情報送信手段により送信された情報を表示する表示手段を備え、
前記情報送信手段は、前記ＵＲＬ情報格納手段により保存されたＵＲＬ情報を前記検索条件に基づく階層構造で前記情報処理装置に送信し、
前記表示手段は、前記ＵＲＬ情報を前記検索条件に基づく階層構造で表示することを特徴とする請求項１記載の検索情報管理システム。
【請求項３】
前記サーバは、前記情報処理装置に情報を送信する情報送信手段を備え、
前記情報処理装置は、前記情報送信手段により送信された情報を表示する表示手段を備え、
前記検索手段は、前記ＵＲＬ情報格納手段により保存された検索条件に基づいて新たにＷｅｂページの検索を行い、前記ＵＲＬ情報格納手段に保存された順位と新たに検索された順位とを比較し、
前記情報送信手段は、前記検索手段による比較の結果を前記情報処理装置に送信し、
前記表示手段は、前記検索手段による比較の結果を表示することを特徴とする請求項１又は２に記載の検索情報管理システム。
【請求項４】
前記サーバは、
前記情報処理装置に情報を送信する情報送信手段と、
前記ＵＲＬ情報格納手段に保存された検索条件に基づいて前記検索手段により新たに検索されたＷｅｂページと前記ＵＲＬ情報格納手段に保存された前記Ｗｅｂの内容テキストとの類似度を算出する類似度算出手段と、を備え
前記情報処理装置は、前記情報送信手段により送信された情報を表示する表示手段を備え、
前記情報送信手段は、前記類似度算出手段により算出された類似度を前記情報通信装置に送信し、
前記表示手段は、前記類似度を表示することを特徴とする請求項１から３の何れか１項に記載の検索情報管理システム。
【請求項５】
ネットワークを介して接続された情報処理装置と、サーバと、を有する検索情報管理システムの検索情報管理方法であって、
検索条件に基づくＷｅｂページの検索要求を行う検索要求ステップと、
前記検索条件に基づいてＷｅｂページを検索する検索ステップと、
前記検索ステップにより検索されたＷｅｂページの登録要求を行う登録要求ステップと、
前記登録要求ステップにより登録要求されたＷｅｂページのＵＲＬを、少なくとも前記検索条件と検索一覧における順位と前記Ｗｅｂの内容テキストとに関連づけてＵＲＬ情報としてＵＲＬ情報格納手段に保存する保存ステップと、を備えることを特徴とする検索情報管理方法。
【請求項６】
情報を送信する情報送信ステップと、
前記情報送信ステップにより送信された情報を前記情報処理装置に表示する表示ステップと、を備え、
前記情報送信ステップは、前記ＵＲＬ情報格納ステップにより保存されたＵＲＬ情報を前記検索条件に基づく階層構造で前記情報処理装置に送信し、
前記表示ステップは、前記ＵＲＬ情報を前記検索条件に基づく階層構造で表示することを特徴とする請求項５記載の検索情報管理方法。
【請求項７】
情報を送信する情報送信ステップと、
前記情報送信ステップにより送信された情報を前記情報処理装置に表示する表示ステップと、を備え、
前記検索ステップは、前記ＵＲＬ情報格納手段に保存された検索条件に基づいて新たにＷｅｂページの検索を行い、前記ＵＲＬ情報格納手段により保存された順位と新たに検索された順位とを比較し、
前記情報送信ステップは、前記検索ステップによる比較の結果を前記情報処理装置に送信し、
前記表示ステップは、前記検索ステップによる比較の結果を表示することを特徴とする請求項５又は６に記載の検索情報管理方法。
【請求項８】
前記ＵＲＬ情報格納手段に保存された検索条件に基づいて前記検索ステップにより新たに検索されたＷｅｂページと前記ＵＲＬ情報格納手段に保存された前記Ｗｅｂの内容テキストとの類似度を算出する類似度算出ステップと、
情報を送信する情報送信ステップと、
前記情報送信ステップにより送信された情報を前記情報処理装置に表示する表示ステップと、を備え
前記情報送信手段は、前記類似度算出ステップにより算出された類似度を前記情報通信装置に送信し、
前記表示ステップは、前記類似度を表示することを特徴とする請求項５から７の何れか１項に記載の検索情報管理方法。
【発明の詳細な説明】
【技術分野】
【０００１】
本発明は、検索情報を管理する検索情報管理システム及び検索情報管理方法に関する。
【背景技術】
【０００２】
Ｗｅｂブラウザには、ＷｅｂページのＵＲＬ（Uniform Resource Location）をお気に入りあるいはブックマークとして保存し、フォルダを作成してＵＲＬを階層化、並び順を変える等して、保存したＵＲＬを整理する機能が備わっている。
【０００３】
Ｗｅｂページを検索する際は、ユーザは検索キーワードを入力することで、モニタに検索結果を表示させる。そして、先頭から数ページをめくり、表示された検索結果からＵＲＬにアクセスして、お気に入りのＷｅｂページを見つけた場合にはお気に入りとして登録する。数ページの中にお気にいりが見つからない場合には、検索キーワードを追加・削除あるいは類義語で置換える等して、再度検索を行うことを繰り返しながらユーザにとって有用なＷｅｂページを見つけ出す。ここで、検索キーワードは、ユーザが所望するＷｅｂページを検索リストの先頭ページ付近に見つけるための貴重な情報であり、そのＷｅｂページを見つける目的を端的に表している情報でもある。
【０００４】
上述したように検索したＷｅｂページのＵＲＬは、お気に入りやブックマークとして保存することができる。しかし、保存したＵＬＲのリンクが切れてしまったか否かはＷｅｂページにアクセスするまでわからず、ユーザが必要な時に所望するＷｅｂページにアクセスできないという問題があった。
【０００５】
上記問題を解決するために、コンピュータに蓄積したリンク情報のメンテナンスを行う技術が開示されている（例えば、特許文献１）。上記特許文献１の技術では、コンピュータに蓄積されたリンク情報からリンク切れを検出し、リンク切れを検出した場合にはそのリンク切れについてログデータを記録する。そして、記録したログデータに基づいてリンク情報のメンテナンスを行う。
【０００６】
また、上述した技術に関連して、同一検索条件に基づく検索を行った場合の、検索結果の差異をユーザに知らせる技術が開示されている（例えば、特許文献２）。上記特許文献２の技術では、同一検索条件に基づく検索を行い、検索結果に基づいて新規に追加されたＷｅｂページと消滅したＷｅｂページを一覧で表示することで、検索結果の差異をユーザに知らせる。
【発明の概要】
【発明が解決しようとする課題】
【０００７】
しかし、上記特許文献１及び特許文献２の技術では、上述したようにＷｅｂページを検索し、ユーザにとって有用であると判断してお気に入りとして保存したＷｅｂページに代わるＷｅｂページを、ユーザが容易に見つけることができないという課題があった。また、保存されたお気に入りを容易に編集して分類することができないという課題もあった。
【０００８】
本発明はこのような実情を鑑みてなされたものであり、保存されたＷｅｂページの代替Ｗｅｂページをユーザが容易に見つけることができる検索情報管理システム及び検索情報管理方法を提供することを目的とする。
【課題を解決するための手段】
【０００９】
本発明の検索情報管理システムは、ネットワークを介して接続された情報処理装置と、サーバと、を有する検索情報管理システムであって、情報処理装置は、検索条件に基づくＷｅｂページの検索要求をサーバに行う検索要求手段と、Ｗｅｂページの登録要求をサーバに行う登録要求手段と、を備え、サーバは、検索条件に基づいてＷｅｂページを検索する検索手段と、登録要求手段により登録要求されたＷｅｂページのＵＲＬを、少なくとも検索条件と検索一覧における順位とＷｅｂの内容テキストとに関連づけてＵＲＬ情報としてＵＲＬ情報格納手段に保存する保存手段と、を備えることを特徴とする。
【００１０】
本発明の検索情報管理方法は、ネットワークを介して接続された情報処理装置と、サーバと、を有する検索情報管理システムの検索情報管理方法であって、検索条件に基づくＷｅｂページの検索要求を行う検索要求ステップと、検索条件に基づいてＷｅｂページを検索する検索ステップと、検索ステップにより検索されたＷｅｂページの登録要求を行う登録要求ステップと、登録要求ステップにより登録要求されたＷｅｂページのＵＲＬを、少なくとも検索条件と検索一覧における順位とＷｅｂの内容テキストとに関連づけてＵＲＬ情報としてＵＲＬ情報格納手段に保存する保存ステップと、を備えることを特徴とする。
【発明の効果】
【００１１】
本発明によれば、保存されたＷｅｂページの代替Ｗｅｂページをユーザが容易に見つけることが可能となる。
【図面の簡単な説明】
【００１２】
【図１】本実施形態に係る検索情報管理システムの概略構成例を示す図である。
【図２】本実施形態に係る検索情報管理システムのお気に入りＵＲＬ情報格納テーブル例を示す図である。
【図３】本実施形態に係る検索情報管理システムのお気に入りＵＲＬ情報格納動作例を示すタイミングチャートである。
【図４】本実施形態に係る検索情報管理システムの情報処理装置における情報一覧表示画面例を示す図である。
【図５】本実施形態に係る検索情報管理システムの情報処理装置における情報一覧表示画面例を示す図である。
【図６】本実施形態に係る検索情報管理システムの情報処理装置における検索一覧表示画面例を示す図である。
【図７】本実施形態に係る検索情報管理システムの情報処理装置における現況表示画面例を示す図である。
【図８】本実施形態に係る検索情報管理システムの情報処理装置における検索一覧表示画面例を示す図である。
【発明を実施するための形態】
【００１３】
以下に本発明の実施形態の例について、図面を用いて詳細に説明する。尚、同構成要素には同一の符号を付し、重複する説明は省略する。
【００１４】
図１は、本実施形態に係る検索情報管理システムの概略構成例を示す。図１に示すように、本実施形態に係る検索情報管理システムは、ネットワーク２０を介して接続された情報処理装置であるＰＣ（Personal Computer）１０、Ｗｅｂサーバ３０、を備え、Ｗｅｂサーバ３０にはＵＲＬ情報格納ＤＢ（Data Base）４０が接続されている。尚、本実施形態では、検索情報管理システムにＰＣ１０を備える例を挙げて説明するが、これに限定されるものではない。ネットワークを介してＷｅｂページにアクセスできる装置であれば本実施形態を適用することが可能であり、例えば、通信機能を備えた複写機等でもよい。
【００１５】
ＰＣ１０は、ユーザが所望するＷｅｂページの閲覧を行う場合に用いる情報通信端末であり、ユーザに情報を表示する表示部を備えている。尚、図示しないが、ＰＣ１０は、ＣＰＵ等の制御部、ＲＡＭやＲＯＭ等の記憶部、ユーザからの入力を受け付ける入力部等を備えている。また、ＰＣ１０は、Ｗｅｂブラウザ１１を有しており、Ｗｅｂブラウザ１１上でＨＴＭＬ（Hyper Text Markup Language ）等で記述されたＷｅｂページや、Ｗｅｂページ上で各種機能を実現するプログラムを実行する。
【００１６】
Ｗｅｂサーバ３０は、Ｗｅｂ検索サーバプログラム３１を格納しており、ＰＣ１０において検索及びお気に入り登録要求されたＵＲＬ等の情報をＵＲＬ情報格納ＤＢ４０に登録させる。また、ＰＣ１０からのお気に入り情報の検索要求を受け付け、ＵＲＬ情報格納ＤＢ４０に保存された情報からＰＣ１０が要求する情報を検索し、検索した情報をＰＣ１０に送信する。尚、ＰＣ１０及びＷｅｂサーバ３０は、情報を送受信する送受信手段を備えている。また、Ｗｅｂサーバ３０は、ＰＣ１０からの検索要求を受け付け、検索キーワードに関連するＷｅｂページの検索を行い、その結果をＰＣ１０に送信し、表示部に表示させる。
【００１７】
ＵＲＬ情報格納ＤＢ４０は、ＰＣ１０によりお気に入り登録要求されたＵＲＬ等の情報をお気に入りＵＲＬ情報格納テーブルとして保存及び管理する。図２は、本実施形態に係る検索情報管理システムのＵＲＬ情報格納ＤＢ４０におけるお気に入りＵＲＬ情報格納テーブル例を示す。図示するように、本実施形態のお気に入りＵＲＬ情報格納テーブルは、ＩＤ（IDentification）、ＵＩＤ（User IDentification）、タイトル、ＵＲＬ、検索キーワード、登録日時、内容テキスト、順位等の情報を含んでいる。しかし、お気に入りＵＲＬ情報格納テーブルが含む情報はこれに限定されるものではないことは言うまでもない。
【００１８】
ＩＤはオブジェクト識別子である。ＵＩＤはユーザ識別子であり、ユーザのＩＤとして利用される。タイトルはＷｅｂページのタイトルであり、ＵＲＬはＷｅｂページのＵＲＬである。また、検索キーワードは、お気に入り登録されたＷｅｂページをユーザが見つける際に利用した検索キーワードであり、登録日時はユーザが当該Ｗｅｂページをお気に入り登録した時の日時である。内容テキストは、お気に入り登録されたＷｅｂページからタグを除いたテキストである。順位は、ユーザが上記検索キーワードを入力してＷｅｂページを検索した際に表示される検索結果一覧における、お気に入り登録されたＷｅｂページの順位である。尚、ユーザのＩＤを含むユーザのプロファイルについては、お気に入りＵＲＬ情報格納テーブル以外のテーブルに保存及び管理されている。
【００１９】
図３は、本実施形態に係る検索情報管理システムのお気に入りＵＲＬ情報格納動作例を示す。以下に、本実施形態に係る検索情報管理システムのお気に入りＵＲＬ情報格納動作例について、図３に示すタイミングチャートを用いて説明する。
【００２０】
まず、ユーザはＰＣ１０を介して検索ポータルにログインする（ステップＳ１）。本実施形態では、ログイン時の認証動作については説明を省略するが、周知の技術を適用してユーザ認証を行う。ログインが正常に行われると、Ｗｅｂサーバ３０は、ＵＲＬ情報格納ＤＢ４０からお気に入り情報を取得してＷｅｂブラウザ１１に送信し、ＰＣ１０の表示部にお気に入り情報を表示させる（ステップＳ２）。
【００２１】
次に、ユーザがＷｅｂブラウザ１１を介して検索条件テキストボックスに検索キーワードを入力し、検索をリクエストすると（ステップＳ３）、Ｗｅｂサーバ３０は入力された検索キーワードによる検索結果一覧をＷｅｂブラウザ１１に送信し、ＰＣ１０の表示部に検索結果一覧を表示させる（ステップＳ４）。
【００２２】
上記ステップＳ４においてＰＣ１０の表示部に表示された検索結果一覧において、お気に入り登録を所望するＷｅｂページがある場合は、ユーザは検索結果一覧表示画面からお気に入り登録のリクエストを行う（ステップＳ５）。上記ステップＳ５においてお気に入り登録のリクエストを受け付けたＷｅｂサーバ３０は、ＵＲＬ情報格納ＤＢ４０に上記Ｗｅｂページに関する情報を上述したお気に入りＵＲＬ情報格納テーブルとして格納させる。そして、更新したお気に入り情報をＰＣ１０の表示部に再表示させる（ステップＳ６）。
【００２３】
ここで、上記ステップＳ２においてＰＣ１０の表示部に表示されるお気に入り情報の表示画面例を図４に示す。図４に示すように、お気に入り情報の表示画面には、お気に入り一覧と検索キーワードを入力するための検索条件テキストボックス等が表示されている。ユーザは、検索条件テキストボックスに検索キーワードを入力して検索実行ボタンを押下することで、Ｗｅｂサーバ３０に検索リクエストを行うことができる。また、お気に入り一覧に示されたＷｅｂページのタイトルを押下することで、該当するＷｅｂページを表示させることができる。
【００２４】
尚、図４に示す例では、お気に入り一覧は登録日順にタイトルを表示している。しかし、これに限定されるものではなく、例えば図５に示すようにお気に入り情報を表示することもできる。図５では、検索キーワードを利用してお気に入り一覧を階層表示している。このようにお気に入り一覧を階層表示することで、ユーザはお気にいり登録されたＷｅｂページがどのような検索キーワードを用いて見つけたものであるかを、容易に確認することができる。
【００２５】
図６は、上記ステップＳ４においてＰＣ１０の表示部に表示される検索結果一覧の表示画面例を示す。図６に示すように、検索結果一覧表示画面には、上記ステップＳ３においてユーザが入力した検索キーワードに関連するＷｅｂページの一覧、チェックボックス等が表示されている。ページめくり等して、検索結果一覧にユーザがお気に入り登録を所望するＷｅｂページがある場合には、ユーザは検索結果一覧においてお気に入り登録したいＷｅｂページのチェックボックスにチェックを入力し、お気に入り登録ボタンを押下することで、Ｗｅｂサーバ３０にお気に入り登録リクエストを行うことができる。
【００２６】
図７は、本実施形態に係る検索情報管理システムのＰＣ１０に表示される現況表示画面例を示す。図７に示すように現況表示画面には、お気に入り一覧、検索条件、現況等が表示されている。現況は、お気に入り登録されたＷｅｂページのＵＲＬと関連付けて保存された検索キーワードを用いて新たに検索を行い、お気に入り登録時の順位からどのような変化があったかを検出した結果を表示している。
【００２７】
画面上の現況を確認して、リンクが切れてしまったＷｅｂページや順位が下降してしまったＷｅｂページに対しては、再度検索を行い、代替Ｗｅｂページを検索することができる。例えば、ラジオボタンをチェックして、検索実行ボタンを押下すると、保存されている検索キーワードを用いて検索を行う。そして、検索の結果取得されたＷｅｂページのＵＲＬに対して、現在お気に入りに登録されているＵＲＬの保存ページテキストと比較を行い、類似度を画面に表示する。尚、類似度の計算方法はどのような方法でも適用することができ、周知技術を利用すればよい。
【００２８】
上述したように、現況表示画面から再検索を実行した場合にＰＣ１０の表示部に表示される検索一覧画面例を図８に示す。図８に示すように、検索一覧表示画面には、Ｗｅｂページのタイトル、類似度等が表示されている。ユーザは、類似度の情報等を参照して、お気に入り登録を所望するＷｅｂページがある場合には、チェックボックスにチェックし、お気に入りに追加登録あるいは現在登録されているお気に入りとの置換えを行う。現在登録されているお気に入りとの置換えを行うには、「対象お気に入りと置き換え」との項目にチェックをしてからお気に入りに登録ボタンを押下することで、容易に置換えを行うことができる。
【００２９】
尚、本実施形態では、Ｗｅｂページをお気に入りとしてお気に入り登録する例を挙げて説明したが、これに限定されるものではなく、例えばブックマーク登録等にも適用することが可能である。
【００３０】
本実施形態により、ＷｅｂページのＵＲＬを検索条件、検索一覧における順位、ページのテキストとともに保存することにより、当該Ｗｅｂページに匹敵するＷｅｂページを容易に確認することが可能となる。また、当該サイト先が消滅してしまった場合に、保存されたＵＲＬ、検索条件、順位、ページテキスト、の情報を利用して代替のＷｅｂページを容易に見つけることが可能となる。
【００３１】
また、多数登録されたお気に入りを、編集して分類する操作は煩雑であるが、本実施形態により、ＷｅｂページのＵＲＬを検索する際に保存した検索キーワードを利用して自動的にお気に入り登録情報を階層構造で分類表示することで、ユーザの操作性を向上させることが可能となる。
【００３２】
さらに、本実施形態により、お気に入り登録当時の順位と現在における順位を検索して現況表示画面に表示することで、順位の変化からＷｅｂページの有効性等をユーザが容易に確認することが可能となる。また、お気に入り登録したＵＲＬが消えた、あるいは順位低下から内容が無効であると判断した場合に、代替として最適なＷｅｂページを容易に検出することが可能となる。
【００３３】
尚、タイミングチャートに示す処理を、ＣＰＵが実行するためのプログラムは本発明によるプログラムを構成する。このプログラムを記録するコンピュータ読み取り可能な記録媒体としては、半導体記憶部や光学的及び／又は磁気的な記憶部等を用いることができる。このようなプログラム及び記録媒体を、前述した各実施形態とは異なる構成のシステム等で用い、そこのＣＰＵで上記プログラムを実行させることにより、本発明と実質的に同じ効果を得ることができる。
【００３４】
以上好適な実施の形態に基づき具体的に説明したが、本発明は上述した検索情報管理システム及び検索情報管理方法に限定されるものではなく、その要旨を逸脱しない範囲で種々変更可能であるということは言うまでもない。
【符号の説明】
【００３５】
１０    ＰＣ
１１    Ｗｅｂブラウザ
２０    ネットワーク
３０    Ｗｅｂサーバ
３１    Ｗｅｂ検索サーバプログラム
４０    ＵＲＬ情報格納ＤＢ
【先行技術文献】
【特許文献】
【００３６】
【特許文献１】特開２００８−０２７０００号公報
【特許文献２】特開２００６−３０１９７５号公報
【図１】
2010211624.tif 000003
【図２】
2010211624.tif 000004
【図３】
2010211624.tif 000005
【図４】
2010211624.tif 000006
【図５】
2010211624.tif 000007
【図６】
2010211624.tif 000008
【図７】
2010211624.tif 000009
【図８】
2010211624.tif 000010